(57)【要約】      （修正有）【課題】収納された書類などを外観で確認、検索がしやすいクリアファイルを提供する。【解決手段】１枚のシートを中央の折辺１１で二つに山折りして略矩形の表シート２０ａおよび裏シート２０ｂを形成し、この表シート２０ａおよび裏シート２０ｂの折辺１１と隣接する底縁辺１２を接着し、表シート２０ａに、自由端部３２ａを形成する切り取り線３３ａを、折辺１１を基部３１ａとして設ける。この切り取り線３３ａによって自由端部３２ａと基部３１ａとからなる複数の表インデックス片３０ａを形成してクリアファイル１０を構成する。【選択図】図１
0003170653.tif 000002
【実用新案登録請求の範囲】
【請求項１】
中央の折辺で二つ折りにして重ねられて略矩形の表シートおよび裏シートが形成され、この表シートおよび裏シートの前記折辺と隣接する底縁辺が接着され、他の縁辺が開放されたクリアファイルにおいて、
前記表シートに、自由端部を形成する切り取り線が前記折辺を基部として設けられ、前記自由端部と前記基部とからなる一または複数のインデックス片が形成された、
ことを特徴とするクリアファイル。
【請求項２】
前記インデックス片は、前記表シートおよび前記裏シートに互い違いに形成された、
ことを特徴とする請求項１に記載のクリアファイル。
【請求項３】
前記切り取り線は、前記自由端部側が切り込みであり、この自由端部の両端から前記基部までがミシン目である、
ことを特徴とする請求項１または請求項２に記載のクリアファイル。
【考案の詳細な説明】
【技術分野】
【０００１】
本考案は、書類などを収納するクリアファイルに関する。
【背景技術】
【０００２】
書類やパンフレットなどを整理して収納するために、クリアファイルが用いられている。このクリアファイルは、通常、透明な素材で薄いシート状に形成されているため、収納した書類などを取り出すことなく外観で確認することができ、比較的薄い書類などを収納するのに適している。
【考案の概要】
【考案が解決しようとする課題】
【０００３】
しかし、クリアファイルはキャラクターや広告が印刷される場合があるため、収納した書類などが外観で確認しづらくなる場合がある。また、クリアファイルは薄いシート状であることから背表紙がなく、ラックなどに何枚も重ねられて収納されると目的の書類を検索するのが困難である。
【０００４】
本考案は、上記の実情に鑑みて提案されたものである。すなわち、収納された書類などを外観で確認、検索がしやすいクリアファイルの提供を目的とする。
【課題を解決するための手段】
【０００５】
上記目的を達成するために、本考案は、中央の折辺で二つ折りにして重ねられて略矩形の表シートおよび裏シートが形成され、この表シートおよび裏シートの前記折辺と隣接する底縁辺が接着され、他の縁辺が開放されたクリアファイルにおいて、前記表シートに、自由端部を形成する切り取り線が前記折辺を基部として設けられ、前記自由端部と前記基部とからなる一または複数のインデックス片が形成されたことを特徴としている。
【０００６】
また、前記インデックス片は、前記表シートおよび前記裏シートに互い違いに形成されたことを特徴としている。
【０００７】
また、前記切り取り線は、前記自由端部側が切り込みであり、この自由端部の両端から前記基部までがミシン目であることを特徴としている。
【考案の効果】
【０００８】
本考案に係るクリアファイルによれば、収納された書類などを外観で確認、検索がしやすい。
【図面の簡単な説明】
【０００９】
【図１】本考案の実施形態に係るクリアファイルの正面図である。
【図２】本考案の他の実施形態に係るクリアファイルを示す図であり、（ａ）は正面図、（ｂ）は展開図である。
【考案を実施するための形態】
【００１０】
以下に、本考案の実施形態を図面に基づいて説明する。
【００１１】
図１において、本実施形態に係るクリアファイル１０は、１枚のシートが中央の折辺１１で二つに山折りされ、重ねられて形成された略矩形の表シート２０ａおよび裏シート２０ｂから構成されている（図２（ｂ）参照）。この表シート２０ａおよび裏シート２０ｂは、折辺１１と隣接する底縁辺１２が接着され、他の縁辺１３、１４が開放されて図示しない書類などを収納できるように形成されている。
【００１２】
クリアファイル１０は、素材にポリプロピレン（ＰＰ）などが用いられ、略半透明に形成されている。裏シート２０ｂには、他の縁辺１３を辺とする略半円形状の切欠き１３ｂが形成されている。この切欠き１３ｂにより、クリアファイル１０は、書類などを収納する際に表シート２０ａを捲りやすい構成となっている。
【００１３】
表シート２０ａには、自由端部３２ａを形成する切り取り線３３ａが折辺１１を基部３１ａとして設けられ、この切り取り線３３ａによって、自由端部３２ａと基部３１ａとからなる複数の表インデックス片３０ａが形成されている。
【００１４】
表インデックス片３０ａは、切り取り線３３ａによって、折辺１１から連接された基部３１ａを下底とし、基部３１ａから縮小して延設された自由端部３２ａを上底とする略台形状に形成されている。なお、表インデックス片３０ａは略台形状に限られず、略矩形や略半円形状としてもよい。
【００１５】
切り取り線３３ａは、自由端部３２ａ側が切り込み３４（実線）で、この自由端部３３ａの両端から基部３１ａまでがミシン目３５（破線）で形成されている。
【００１６】
表インデックス片３０ａは、自由端部３２ａの切り込み３４（実線）側から指などを挿入し、ミシン目３５（破線）と切り離して表シート２０ａの反対側に立ち上がらせることで、見出しとして使用することができる。
【００１７】
上記したとおり、本実施形態に係るクリアファイル１０では、表シート２０ａに、自由端部３２ａを形成する切り取り線３３ａが折辺１１を基部３１ａとして設けられ、この切り取り線３３ａによって、自由端部３２ａと基部３１ａとからなる複数の表インデックス片３０ａが形成されている。
したがって、キャラクターや広告が印刷されて、収納した書類などを外観で確認しづらい場合や、ラックなどに何枚も重ねられて収納された場合であっても、表インデックス片３０ａを見出しとして書類名などを記入することで、収納された書類などを外観で確認、検索がしやすくなる。また、表インデックス片３０ａは、表シート２０ａの一部であるため、見出しシールなどを後から付ける場合に比べて簡便である。また、表インデックス片３０ａは一つでも上記効果を奏するが、複数にすることによって、クリアファイル１０が重ねて収納されていても、見出しが重なることなく段違いとなって見やすくなる。
【００１８】
また、切り取り線３３ａは、自由端部３２ａ側が切り込み３４（実線）で、この自由端部３２ａの両端から基部３１ａまでがミシン目３５（破線）で形成されている。
したがって、見出し使用時は、切り込み３４によって自由端部３２ａ側から指などを挿入して表インデックス片３０ａを立ち上がらせやすく、未使用時は、ミシン目３５によって表シート２０ａと同一平面上に繋ぎ留められているため、意図せずに表インデックス片３０ａが立ち上がることがない。
【００１９】
次に、本考案に係る他の実施形態について図面に基づいて説明する。
【００２０】
図２（ａ）、（ｂ）において、他の実施形態に係るクリアファイル４０では、裏シート２０ｂに、表シート２０ａに形成された表インデックス辺３０ａと同様に、自由端部３２ｂを形成する切り取り線３３ｂが折辺１１を基部３１ｂとして設けられ、この切り取り線３３ｂによって自由端部３２ｂと基部３１ｂとからなる略台形状の裏インデックス片３０ｂが形成されている。また、切り取り線３３ｂは、切り取り線３３ａと同様に自由端部３２ｂ側が切り込み３４で（実線）、この自由端部３３ｂの両端から基部３１ｂまではミシン目３５（破線）で形成されている。なお、他の構成は上記の実施形態の同じであるため説明を省略する。
【００２１】
表インデックス片３０ａと裏インデックス片３０ｂとは、表シート２０ａに形成された表インデックス片３０ａの基部３１ａと、裏シート２０ｂに形成された裏インデックス片３０ｂの基部３１ｂとが、一部で重なることで互い違いに形成されている。
【００２２】
上記したように、他の実施形態に係るクリアファイル４０では、表シート２０ａに形成された表インデックス片３０ｂとともに、裏シート２０ｂにも、自由端部３２ｂを形成する切り取り線３３ｂが折辺１１を基部３１ｂとして設けられ、この切り取り線３３ｂによって自由端部３２ｂと基部３１ｂとからなる略台形状の裏インデックス片３０ｂが形成されている。また、これらの表インデックス片３０ａと裏インデックス片３０ｂとは互い違いに形成されている。
したがって、表インデックス片３０ａと裏インデックス片３０ｂとで、見出しの数が増え、また、段違いが密となるため、より多くのファイル４０が重ねられても見出しが重ならずに見やすくなる。
【００２３】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００２４】
１０、４０        クリアファイル
１１              折辺
１２              底縁辺
１３、１４        他の縁辺
１３ｂ            切欠き
２０ａ            表シート
２０ｂ            裏シート
３０ａ            表インデックス片
３０ｂ            裏インデックス片
３１ａ、３１ｂ    基部
３２ａ、３２ｂ    自由端部
３３ａ、３３ｂ    切り取り線
３４              切り込み
３５              ミシン目
【図１】
0003170653.tif 000003
【図２】
0003170653.tif 000004